(57)【特許請求の範囲】
【請求項１】
静止原稿読取領域から連続原稿読取位置まで移動自在に設けたスキヤナ装置と、連続原稿読取用原稿送りローラとを備えた画像読取装置において、スキヤナ装置の移動及び原稿送りローラの回動を伝動機構を介して行う一個の駆動用モータを備え、該伝動機構は、静止原稿読取のときには静止原稿読取領域でスキヤナ装置を移動させ、連続原稿読取のときには連続原稿読取位置にスキヤナ装置を停止させると共に原稿送りローラを回動させるようにしたものであって、前記伝動機構は、前記スキヤナ装置を移動させる歯付ベルトに噛合する駆動プーリと、前記モータに連結し且つ該駆動プーリと一体に回転する駆動ギヤと、前記原稿送りローラを回動させる従動ギヤと、前記スキヤナ装置が連続原稿読取位置に到達するときにスキヤナ装置と共に移動して駆動ギヤと従動ギヤとに噛合する中間ギヤとを備え、歯付ベルトは、スキヤナ装置が連続原稿読取位置に到達したときに駆動プーリと噛合しないように欠歯領域を形成したことを特徴とする画像読取装置。
【請求項２】
前記スキヤナ装置を連続原稿読取位置で静止させるためのストツパーを備えた請求項１記載の画像読取装置。
【発明の詳細な説明】
【０００１】
【発明の属する技術分野】
本発明は、原稿に記載されている画像を読み取るための画像読取装置に関するものである。
【０００２】
【従来の技術】
画像読取装置は、静止原稿読取機能と連続原稿読取機能とを併備したものがある。静止原稿読取の場合には、プラテンガラス上に置かれている原稿を、プラテンガラスの下で副走査方向へ往復移動するスキヤナ装置で走査して読み取る。連続原稿読取の場合には、回転する原稿送りローラで一枚ずつ送られる原稿を、連続原稿読取位置に静止するスキヤナ装置で走査して読み取る。
【０００３】
従来の画像読取装置は、スキヤナ装置を静止原稿読取領域で往復移動させると共に静止原稿読取領域から連続原稿読取位置まで移動させるための駆動用モータと、原稿送りローラを回転させるための駆動用モータとを個別に設けていた。
【０００４】
【発明が解決しようとする課題】
しかし、スキヤナ装置駆動用モータと原稿送りローラ駆動用モータとを個別に設けることは、コスト高になると共に重量大になる問題がある。そこで、本発明は、スキヤナ装置の移動と原稿送りローラの回動とを一個の駆動用モータで兼用するようにした画像読取装置を提供するものである。
【０００５】
【課題を解決するための手段】
本発明が採用した手段は、静止原稿読取領域から連続原稿読取位置まで移動自在に設けたスキヤナ装置と、連続原稿読取用原稿送りローラとを備えた画像読取装置において、スキヤナ装置の移動及び原稿送りローラの回動を伝動機構を介して行う一個の駆動用モータを備え、該伝動機構は、静止原稿読取のときには静止原稿読取領域でスキヤナ装置を移動させ、連続原稿読取のときには連続原稿読取位置にスキヤナ装置を停止させると共に原稿送りローラを回動させるようにしたことである。
【０００６】
本発明にあつては、一個の駆動用モータでスキヤナ装置の移動及び原稿送りローラの回動を行うことができ、静止原稿読取のときの静止原稿読取領域でのスキヤナ装置の移動と、連続原稿読取のときの連続原稿読取位置でのスキヤナ装置の停止及び原稿送りローラの回動とを伝動機構で選択できる。
【０００７】
前記伝動機構は、前記スキヤナ装置を移動させる歯付ベルトに噛合する駆動プーリと、前記モータに連結し且つ該駆動プーリと一体に回転する駆動ギヤと、前記原稿送りローラを回動させる従動ギヤと、前記スキヤナ装置が連続原稿読取位置に到達するときにスキヤナ装置と共に移動して駆動ギヤと従動ギヤとに噛合する中間ギヤとを備え、歯付ベルトは、スキヤナ装置が連続原稿読取位置に到達したときに駆動プーリと噛合しないように欠歯領域を形成してある。
【０００８】
前記伝動機構が前記歯付ベルト及び中間ギヤ等を備えることで、静止原稿読取のときには中間ギヤが駆動ギヤと従動ギヤとに噛合しないため、モータの駆動力が駆動プーリを介して歯付ベルトに伝達してスキヤナ装置を移動させ、連続原稿読取のときには中間ギヤが駆動ギヤと従動ギヤとに噛合すると共に駆動プーリと歯付ベルトが噛合しないため、モータの駆動力が駆動ギヤと中間ギヤと従動ギヤとに順次伝達して原稿送りローラのみを回動させる。
【０００９】
本発明は、前記スキヤナ装置を連続原稿読取位置で静止させるためのストツパーを備えることもある。
【００１０】
【発明の実施の形態】
以下、本発明に係る画像読取装置を図面に示す実施の形態に基づいて説明する。
【００１１】
図１乃至図３は本発明の実施の形態を示すものであり、図１は全体の概要を示す中間省略した側面図、図２は要部を拡大したものであつて原稿送りローラのみを回動させる状態を示す側面図、図３は要部を拡大したものであつてスキヤナ装置のみを移動させる状態を示す側面図である。
【００１２】
画像読取装置１は、図１に示す如く、静止原稿読取機能と連続原稿読取機能とを併備したものである。静止原稿読取の場合には、プラテンガラス２上に置かれている原稿（図示省略）を、プラテンガラス２の下で副走査方向（矢符Ａ方向）へ往復移動する光源を備えたスキヤナ装置３で走査して読み取る。連続原稿読取の場合には、回転する原稿送りローラ４で一枚ずつ送られる原稿を、連続原稿読取位置Ｃに静止するスキヤナ装置３で走査して読み取る。
【００１３】
該画像読取装置１の特徴は、スキヤナ装置３の移動と原稿送りローラ４の回動とを、伝動機構５を介して一個の駆動用モータ６で選択できるようにしたことである。伝動機構５は、静止原稿読取のときには静止原稿読取領域Ｂでスキヤナ装置３を往復移動させ、連続原稿読取のときには連続原稿読取位置Ｃにスキヤナ装置３を停止させると共に原稿送りローラ４のみを回動させるように構成してある。
【００１４】
該伝動機構５は、副走査方向（矢符Ａ方向）の両端寄りに配置した歯付ベルト用プーリ７，８と、両プーリ７，８間に張架し且つスキヤナ装置３に連結１３したエンドレス状の歯付ベルト９と、図２に示すモータ６の出力軸６ａに連結し且つ駆動プーリ７と一体に回転する駆動ギヤ１０と、原稿送りローラ４を回動させる従動ギヤ１１と、駆動ギヤ１０と従動ギヤ１１との間に配置した中間ギヤ１２とを備えている。中間ギヤ１２は、スキヤナ装置３に回転自在に取着され、スキヤナ装置３が連続原稿読取位置Ｃに到達したときにのみ駆動ギヤ７と従動ギヤ８とに噛合するようになつている。歯付ベルト９は、スキヤナ装置３が連続原稿読取位置Ｃに到達したときに、駆動プーリ７と噛合しないように歯９ａの欠如した欠歯領域９ｂを形成してある。
【００１５】
上記中間ギヤ１２は、モータ６の駆動により駆動プーリ７が矢符Ｆ方向へ回転するのに伴い、連続原稿読取位置Ｃに向かつて移動するスキヤナ装置３と共に移動して駆動ギヤ１０及び従動ギヤ１１との噛合を開始する。噛合を開始した中間ギヤ１２は、駆動ギヤ１０からの伝達力を受けて矢符Ｅ方向へ付勢されるので、安定した噛合を維持する。更に、スキヤナ装置３は、この付勢力を受けて、ストツパ１４を押圧するように当接し、停止状態を維持する。スキヤナ装置３がストツパ１４に当接して停止しているときには、歯付ベルト９の欠歯領域９ｂが駆動プーリ７に巻回して駆動プーリ７を空回りさせるので、モータ６の駆動力を歯付ベルト９に伝達させない。
【００１６】
連続原稿読取位置Ｃに停止している連続原稿読取状態のスキヤナ装置３を静止原稿読取領域Ｂへ移動させるためには、モータ６を逆回転させる。モータ６の逆回転により駆動ギヤ１０及び駆動プーリ７が矢符Ｇ方向へ回転すると、中間ギヤ１２は、駆動ギヤ１０からの伝達力で矢符Ｈ方向へ付勢され、スキヤナ装置３及び歯付ベルト９と共に移動を開始する。移動を開始した歯付ベルト９は、図３に示す如く、駆動プーリ７に対する歯９ａの噛合を開始して、スキヤナ装置３を矢符Ｈ方向へ移動させて静止原稿読取領域Ｂ（図１参照）へ導く。
【００１７】
なお、前記中間ギヤ１２は、スキヤナ装置３に取着する構造に限定されるものではなく、図示は省略しが、駆動ギヤ１０及び従動ギヤ１１に噛合する噛合位置と両ギヤ１０，１１に噛合しない非噛合位置との間で、スキヤナ装置３の移動方向に沿つて摺動自在となるように配置することも可能である。この場合の中間ギヤ１２は、スキヤナ装置３が静止原稿読取領域Ｂに位置するときには、非噛合位置に向かつてバネで付勢され、スキヤナ装置３が連続原稿読取位置Ｃに到達するときには、該バネの付勢力に抗してスキヤナ装置３で押圧されて噛合位置へ移動するように構成する。
【００１８】
前記従動ギヤ１１は、図１に示す如く、従動ギヤ１１と一体に回転するプーリ１５と中間プーリ１６とに歯付ベルト１８を張架すると共に、中間プーリ１６と原稿送りローラ４と一体に回転するプーリ１７とに歯付ベルト１９を張架して、モータ６からの駆動力を原稿送りローラ４へ伝達するようにしてある。なお、従動ギヤ１１は、原稿送りローラ４と一体に回転するように構成して、中間プーリ１６等を省略することも可能である。
【００１９】
前記スキヤナ装置３は、光源と受光素子とを一体に組み込んだ形式のものや、図示は省略したが、光源を歯付ベルト９で移動させると共に反射鏡を光源の移動速度の半分の速度で移動させ、固定配置した受光素子で反射光を受光する形式のものが適宜選択される。
【００２０】
【発明の効果】
請求項１記載の本発明に係る画像読取装置は、スキヤナ装置の移動及び原稿送りローラの回動を一個の駆動用モータで兼用するため、コストの低減と重量の軽減とを図ることができる。更に、本発明に係る画像読取装置は、簡単な構造で実現することができるため、更にコストの低減と重量の軽減とを図ることができる。
【００２１】
請求項２記載の本発明に係る画像読取装置は、スキヤナ装置を静止させるためのセンサ等が不要となる。
【図面の簡単な説明】
【図１】本発明の実施の形態を示すものであり、全体の概要を示す中間省略した側面図である。
【図２】同実施の形態における要部を拡大したものであつて、原稿送りローラのみを回動させる状態を示す側面図である。
【図３】同実施の形態における要部を拡大したものであつて、スキヤナ装置のみを移動させる状態を示す側面図である。
【符号の説明】
３…スキヤナ装置
４…連続原稿読取用原稿送りローラ
５…伝動機構
６…駆動用モータ
Ｂ…静止原稿読取領域
Ｃ…連続原稿読取位置
【図１】
0003555361.tif 000002
【図２】
0003555361.tif 000003
【図３】
0003555361.tif 000004